(57)【要約】【課題】ＴＶ放送システム、ハードディスク内蔵型テレビジョン受像機、映像再生装置、及びテレビジョン受像機において、ネットワークを効率良く使用し、番組データの提供者がユーザ情報を知ることができるようにする。【解決手段】サーバは、暗号化された番組データとこの番組データを復号する復号鍵データとが記録されたＨＤＤを備え、テレビは番組データ等を記録するＨＤＤを備える。まず、テレビとサーバとが、ネットワークの負荷を確認する回線状況確認処理を行い（Ｓ１）、サーバが、サーバのＨＤＤに記録された、暗号化された番組データをテレビに送信する（Ｓ２）。そして、テレビの制御用マイコンは、暗号化された番組データを受信した後（Ｓ３）、テレビのＨＤＤに記録する（Ｓ４）。ユーザにより番組データを再生するよう指示されると、テレビの制御用マイコンは、番組データに対応する復号鍵データの要求をサーバに送信する。【選択図】図４
2007288630.tif 000002
【特許請求の範囲】
【請求項１】
テレビジョン（以下、ＴＶという）番組のデータ（以下、番組データという）を記録可能なサーバと、ハードディスク内蔵型テレビジョン受像機とを含み、
前記サーバは、
前記番組データが記録された記録媒体と、
視聴率情報や各ユーザのユーザ情報に基づいて、前記記録媒体に記録された番組データの中から番組放送開始前に前記ハードディスク内蔵型テレビジョン受像機に送信する番組データを決定する番組データ決定手段と、
前記番組データの放送開始前におけるネットワークの負荷が少ない時間帯に、前記番組データ決定手段により決定された番組データを前記ハードディスク内蔵テレビジョン受像機に送信する送信手段とを備え、
前記ハードディスク内蔵テレビジョン受像機は、
前記サーバとネットワークを介して接続され、
前記サーバに対して、番組データ等の送受信を行うためのネットワークインタフェースと、
前記ネットワークインタフェースを介して受信した前記番組データ等を記録するハードディスクと、
前記番組データを再生する再生手段と、
前記再生手段から出力された映像信号に基づいて再生された番組データの映像等を出力する映像表示手段と、
前記再生手段から出力された音声信号に基づいて再生された番組データの音声等を出力する音声出力手段と、
装置各部を制御する制御手段とを備えたＴＶ放送システムにおいて、
前記サーバの記録媒体は、暗号化された番組データと、この暗号化された番組データを復号する復号鍵データとを記録しており、
前記ハードディスク内蔵型テレビジョン受像機は、
前記暗号化された番組データに対応する復号鍵データの要求を前記サーバに送信する復号鍵データ要求送信手段と、
前記暗号化された番組データを復号する復号鍵データを受信する復号鍵データ受信手段と、
前記復号鍵データを用いて、前記暗号化された番組データを復号する番組データ復号手段とをさらに備え、
前記サーバは、前記ハードディスク内蔵型テレビジョン受像機から送信された復号鍵データの要求に基いて、ユーザがどの時間帯にどんな番組を視聴しているかという情報やユーザが番組を視聴している時間帯等の情報（以下、ユーザ情報という）を生成する生成手段をさらに備え、
前記制御手段は、
前記ネットワークインタフェースを介して、前記暗号化された番組データを受信したとき、この番組データを前記ハードディスクに記録し、
ユーザにより前記ハードディスクに記録された、前記暗号化された番組データを再生するよう指示されたとき、前記復号鍵データ要求送信手段を用いて、該暗号化された番組データに対応する復号鍵データの要求を前記サーバに送信し、前記復号鍵データ受信手段を用いて、該暗号化された番組データに対応する復号鍵データを受信し、この復号鍵データを用いて前記番組データ復号手段により、前記暗号化された番組データを復号した後、復号した番組データを前記再生手段により再生することを特徴とするＴＶ放送システム。
【請求項２】
テレビジョン（以下、ＴＶという）番組のデータ（以下、番組データという）が記録された記録媒体を有するサーバとネットワークを介して接続され、
前記サーバに対して、番組データ等の送受信を行うためのネットワークインタフェースと、
前記ネットワークインタフェースを介して受信した前記番組データ等を記録するハードディスクと、
前記番組データを再生する再生手段と、
前記再生手段から出力された映像信号に基づいて再生された番組データの映像等を出力する映像表示手段と、
前記再生手段から出力された音声信号に基づいて再生された番組データの音声等を出力する音声出力手段と、
装置各部を制御する制御手段とを備えたハードディスク内蔵型テレビジョン受像機において、
前記サーバの記録媒体は、暗号化された番組データと、この暗号化された番組データを復号する復号鍵データとを記録しており、
前記ハードディスク内蔵型テレビジョン受像機は、
前記暗号化された番組データに対応する復号鍵データの要求を前記サーバに送信する復号鍵データ要求送信手段と、
前記暗号化された番組データを復号する復号鍵データを受信する復号鍵データ受信手段と、
前記復号鍵データを用いて、前記暗号化された番組データを復号する番組データ復号手段とをさらに備え、
前記サーバは、前記ハードディスク内蔵型テレビジョン受像機から送信された復号鍵データの要求に基いて、ユーザがどの時間帯にどんな番組を視聴しているかという情報やユーザが番組を視聴している時間帯等の情報（以下、ユーザ情報という）を生成し、
前記制御手段は、
前記ネットワークインタフェースを介して、前記暗号化された番組データを受信したとき、この番組データを前記ハードディスクに記録し、
ユーザにより前記ハードディスクに記録された、前記暗号化された番組データを再生するよう指示されたとき、前記復号鍵データ要求送信手段を用いて、該暗号化された番組データに対応する復号鍵データの要求を前記サーバに送信し、前記復号鍵データ受信手段を用いて、該暗号化された番組データに対応する復号鍵データを受信し、この復号鍵データを用いて前記番組データ復号手段により、前記暗号化された番組データを復号した後、復号した番組データを前記再生手段により再生することを特徴とするハードディスク内蔵型テレビジョン受像機。
【請求項３】
デジタル映像データが記録された記録媒体を有するサーバとネットワークを介して接続され、
前記サーバに対して、デジタル映像データの送受信を行うためのネットワークインタフェースと、
前記ネットワークインタフェースを介して受信した前記デジタル映像データを記録する記録手段と、
前記デジタル映像データを再生する再生手段と、
装置各部を制御する制御手段とを備えた映像再生装置において、
前記サーバの記録媒体は、暗号化されたデジタル映像データと、この暗号化されたデジタル映像データを復号する復号鍵データとを記録しており、
前記映像再生装置は、
前記暗号化されたデジタル映像データに対応する復号鍵データの要求を前記サーバに送信する復号鍵データ要求送信手段と、
前記暗号化されたデジタル映像データを復号する復号鍵データを受信する復号鍵データ受信手段と、
前記復号鍵データを用いて、前記暗号化されたデジタル映像データを復号するデジタル映像データ復号手段とをさらに備え、
前記サーバは、前記映像再生装置から送信された復号鍵データの要求に基いて、ユーザがどの時間帯にどんなデジタル映像を視聴しているかという情報やユーザがデジタル映像を視聴している時間帯等の情報（以下、ユーザ情報という）を生成し、
前記制御手段は、
前記暗号化されたデジタル映像データを受信したとき、このデジタル映像データを前記記録手段に記録し、
ユーザにより前記記録手段に記録された、前記暗号化されたデジタル映像データを再生するよう指示されたとき、前記復号鍵データ要求送信手段を用いて、該暗号化されたデジタル映像データに対応する復号鍵データの要求を前記サーバに送信し、前記復号鍵データ受信手段を用いて、該暗号化されたデジタル映像データに対応する復号鍵データを受信し、この復号鍵データを用いて前記デジタル映像データ復号手段により、前記暗号化されたデジタル映像データを復号した後、復号したデジタル映像データを前記再生手段により再生することを特徴とする映像再生装置。
【請求項４】
テレビジョン（以下、ＴＶという）番組のデータ（以下、番組データという）が記録された記録媒体を有するサーバとネットワークを介して接続され、
前記サーバに対して、番組データの送受信を行うためのネットワークインタフェースと、
前記ネットワークインタフェースを介して受信した前記番組データを記録する記録手段と、
前記番組データを再生する再生手段と、
装置各部を制御する制御手段とを備えたテレビジョン受像機において、
前記サーバの記録媒体は、暗号化された番組データと、この暗号化された番組データを復号する復号鍵データとを記録しており、
前記テレビジョン受像機は、
前記暗号化された番組データに対応する復号鍵データの要求を前記サーバに送信する復号鍵データ要求送信手段と、
前記暗号化された番組データを復号する復号鍵データを受信する復号鍵データ受信手段と、
前記復号鍵データを用いて、前記暗号化された番組データを復号する番組データ復号手段とをさらに備え、
前記サーバは、前記テレビジョン受像機から送信された復号鍵データの要求に基いて、ユーザがどの時間帯にどんな番組を視聴しているかという情報やユーザが番組を視聴している時間帯等の情報（以下、ユーザ情報という）を生成し、
前記制御手段は、
前記暗号化された番組データを受信したとき、この番組データを前記記録手段に記録し、
ユーザにより前記記録手段に記録された、前記暗号化された番組データを再生するよう指示されたとき、前記復号鍵データ要求送信手段を用いて、該暗号化された番組データに対応する復号鍵データの要求を前記サーバに送信し、前記復号鍵データ受信手段を用いて、該暗号化された番組データに対応する復号鍵データを受信し、この復号鍵データを用いて前記番組データ復号手段により、前記暗号化された番組データを復号した後、復号した番組データを前記再生手段により再生することを特徴とするテレビジョン受像機。
【請求項５】
テレビジョン（以下、ＴＶという）番組のデータ（以下、番組データという）が記録された記録媒体を有するサーバとネットワークを介して接続され、
前記サーバに対して、番組データの送受信を行うためのネットワークインタフェースと、
前記ネットワークインタフェースを介して受信した前記番組データを記録する記録手段と、
前記番組データを再生する再生手段と、
装置各部を制御する制御手段とを備えたテレビジョン受像機において、
前記サーバの記録媒体は、暗号化された番組データと、この暗号化された番組データを復号する復号鍵データとを記録しており、
前記テレビジョン受像機は、
前記暗号化された番組データに対応する復号鍵データの要求と、ユーザがどの時間帯にどんな番組を視聴しているかという情報やユーザが番組を視聴している時間帯等の情報（以下、ユーザ情報という）とを前記サーバに送信する復号鍵データ要求送信手段と、
前記暗号化された番組データを復号する復号鍵データを受信する復号鍵データ受信手段と、
前記復号鍵データを用いて、前記暗号化された番組データを復号する番組データ復号手段とをさらに備え、
前記制御手段は、
前記暗号化された番組データを受信したとき、この番組データを前記記録手段に記録し、
ユーザにより前記記録手段に記録された、前記暗号化された番組データを再生するよう指示されたとき、前記復号鍵データ要求送信手段を用いて、該暗号化された番組データに対応する復号鍵データの要求と、ユーザ情報とを前記サーバに送信し、前記復号鍵データ受信手段を用いて、該暗号化された番組データに対応する復号鍵データを受信し、この復号鍵データを用いて前記番組データ復号手段により、前記暗号化された番組データを復号した後、復号した番組データを前記再生手段により再生することを特徴とするテレビジョン受像機。
【発明の詳細な説明】
【技術分野】
【０００１】
本発明は、ＴＶ放送システム、ハードディスク内蔵型テレビジョン受像機、映像再生装置、及びテレビジョン受像機に関し、特にテレビジョン番組のデータの保存・再生技術に関する。
【背景技術】
【０００２】
従来から、テレビジョン（以下、ＴＶという）番組のデータ（以下、番組データという）が記録されたサーバと、このサーバとインターネット等のネットワークを介して接続されたテレビとを含むＴＶ放送システムが知られている。このＴＶ放送システムは、予め決められた時間帯にサーバがテレビに番組データを送信し、テレビが受信した番組データを再生することにより、多数のユーザが限られた時間帯に同じＴＶ番組を視聴することができるものである。
【０００３】
しかし、上述したＴＶ放送システムでは、サーバとテレビとを接続するネットワークの負荷が、多数のユーザがＴＶ番組を視聴する時間帯では多くなり、一方、多数のユーザがＴＶ番組を視聴しない時間帯では少なくなる。そのため、ネットワークを効率良く使用することができないという問題がある。また、近年、番組データの提供者が、番組を視聴するユーザがどの時間帯にどんな番組を視聴しているかという情報やユーザが視聴している時間帯等の情報（以下、ユーザ情報という）を知りたいという要望がある。
【０００４】
これに対して、特許文献１の発明は、サーバからネットワークを介して受信した暗号化番組データとリンク情報とをハードディスクに蓄積し、リンク情報に基づいてインターネットを介してサーバから復号鍵データを取得し、暗号化番組データを復号した後、復号した動画データを再生することができるテレビである。
【０００５】
また、特許文献２の発明は、暗号化番組データ、暗号化番組データを復号するための復号鍵データ、及び暗号鍵データを、ネットワークを介して受信することにより、暗号化番組データを復号した後、再度暗号化することができるテレビである。
【０００６】
また、特許文献３の発明は、番組データが記録されたサーバからブロードキャスト型同報伝送方式にて送信された番組データを受信する受信部と、受信部が受信した番組データを記録する記録部と、番組データを再生する再生部とを備えるテレビであり、サーバとテレビとの間の通信を双方向に行う必要がないため、サーバとテレビとの間のトラフィック負荷を軽減することができるものである。
【０００７】
しかし、上記特許文献１乃至３に記載された発明では、ネットワークを効率良く使用することができない。また、番組データの提供者がユーザ情報を知ることができない。
【特許文献１】特開２００４−１７９７５５号公報
【特許文献２】特開２００５−１９１７５５号公報
【特許文献３】特開２００６−１４２６６号公報
【発明の開示】
【発明が解決しようとする課題】
【０００８】
本発明は、上述した問題点を解決するためになされたものであり、ネットワークを効率良く使用することができ、また、番組データの提供者がユーザ情報を知ることができるＴＶ放送システム、ハードディスク内蔵型テレビジョン受像機、映像再生装置、及びテレビジョン受像機を提供することを目的とする。
【課題を解決するための手段】
【０００９】
上記目的を達成するために請求項１の発明は、テレビジョン（以下、ＴＶという）番組のデータ（以下、番組データという）を記録可能なサーバと、ハードディスク内蔵型テレビジョン受像機とを含み、前記サーバは、前記番組データが記録された記録媒体と、視聴率情報や各ユーザのユーザ情報に基づいて、前記記録媒体に記録された番組データの中から番組放送開始前に前記ハードディスク内蔵型テレビジョン受像機に送信する番組データを決定する番組データ決定手段と、前記番組データの放送開始前におけるネットワークの負荷が少ない時間帯に、前記番組データ決定手段により決定された番組データを前記ハードディスク内蔵テレビジョン受像機に送信する送信手段とを備え、前記ハードディスク内蔵テレビジョン受像機は、前記サーバとネットワークを介して接続され、前記サーバに対して、番組データ等の送受信を行うためのネットワークインタフェースと、前記ネットワークインタフェースを介して受信した前記番組データ等を記録するハードディスクと、前記番組データを再生する再生手段と、前記再生手段から出力された映像信号に基づいて再生された番組データの映像等を出力する映像表示手段と、前記再生手段から出力された音声信号に基づいて再生された番組データの音声等を出力する音声出力手段と、装置各部を制御する制御手段とを備えたＴＶ放送システムにおいて、前記サーバの記録媒体は、暗号化された番組データと、この暗号化された番組データを復号する復号鍵データとを記録しており、前記ハードディスク内蔵型テレビジョン受像機は、前記暗号化された番組データに対応する復号鍵データの要求を前記サーバに送信する復号鍵データ要求送信手段と、前記暗号化された番組データを復号する復号鍵データを受信する復号鍵データ受信手段と、前記復号鍵データを用いて、前記暗号化された番組データを復号する番組データ復号手段とをさらに備え、前記サーバは、前記ハードディスク内蔵型テレビジョン受像機から送信された復号鍵データの要求に基いて、ユーザがどの時間帯にどんな番組を視聴しているかという情報やユーザが番組を視聴している時間帯等の情報（以下、ユーザ情報という）を生成する生成手段をさらに備え、前記制御手段は、前記ネットワークインタフェースを介して、前記暗号化された番組データを受信したとき、この番組データを前記ハードディスクに記録し、ユーザにより前記ハードディスクに記録された、前記暗号化された番組データを再生するよう指示されたとき、前記復号鍵データ要求送信手段を用いて、該暗号化された番組データに対応する復号鍵データの要求を前記サーバに送信し、前記復号鍵データ受信手段を用いて、該暗号化された番組データに対応する復号鍵データを受信し、この復号鍵データを用いて前記番組データ復号手段により、前記暗号化された番組データを復号した後、復号した番組データを前記再生手段により再生するものである。
【００１０】
請求項２に記載の発明は、テレビジョン（以下、ＴＶという）番組のデータ（以下、番組データという）が記録された記録媒体を有するサーバとネットワークを介して接続され、前記サーバに対して、番組データ等の送受信を行うためのネットワークインタフェースと、前記ネットワークインタフェースを介して受信した前記番組データ等を記録するハードディスクと、前記番組データを再生する再生手段と、前記再生手段から出力された映像信号に基づいて再生された番組データの映像等を出力する映像表示手段と、前記再生手段から出力された音声信号に基づいて再生された番組データの音声等を出力する音声出力手段と、装置各部を制御する制御手段とを備えたハードディスク内蔵型テレビジョン受像機において、前記サーバの記録媒体は、暗号化された番組データと、この暗号化された番組データを復号する復号鍵データとを記録しており、前記ハードディスク内蔵型テレビジョン受像機は、前記暗号化された番組データに対応する復号鍵データの要求を前記サーバに送信する復号鍵データ要求送信手段と、前記暗号化された番組データを復号する復号鍵データを受信する復号鍵データ受信手段と、前記復号鍵データを用いて、前記暗号化された番組データを復号する番組データ復号手段とをさらに備え、前記サーバは、前記ハードディスク内蔵型テレビジョン受像機から送信された復号鍵データの要求に基いて、ユーザがどの時間帯にどんな番組を視聴しているかという情報やユーザが番組を視聴している時間帯等の情報（以下、ユーザ情報という）を生成し、前記制御手段は、前記ネットワークインタフェースを介して、前記暗号化された番組データを受信したとき、この番組データを前記ハードディスクに記録し、ユーザにより前記ハードディスクに記録された、前記暗号化された番組データを再生するよう指示されたとき、前記復号鍵データ要求送信手段を用いて、該暗号化された番組データに対応する復号鍵データの要求を前記サーバに送信し、前記復号鍵データ受信手段を用いて、該暗号化された番組データに対応する復号鍵データを受信し、この復号鍵データを用いて前記番組データ復号手段により、前記暗号化された番組データを復号した後、復号した番組データを前記再生手段により再生するものである。
【００１１】
請求項３に記載の発明は、デジタル映像データが記録された記録媒体を有するサーバとネットワークを介して接続され、前記サーバに対して、デジタル映像データの送受信を行うためのネットワークインタフェースと、前記ネットワークインタフェースを介して受信した前記デジタル映像データを記録する記録手段と、前記デジタル映像データを再生する再生手段と、装置各部を制御する制御手段とを備えた映像再生装置において、前記サーバの記録媒体は、暗号化されたデジタル映像データと、この暗号化されたデジタル映像データを復号する復号鍵データとを記録しており、前記映像再生装置は、前記暗号化されたデジタル映像データに対応する復号鍵データの要求を前記サーバに送信する復号鍵データ要求送信手段と、前記暗号化されたデジタル映像データを復号する復号鍵データを受信する復号鍵データ受信手段と、前記復号鍵データを用いて、前記暗号化されたデジタル映像データを復号するデジタル映像データ復号手段とをさらに備え、前記サーバは、前記映像再生装置から送信された復号鍵データの要求に基いて、ユーザがどの時間帯にどんなデジタル映像を視聴しているかという情報やユーザがデジタル映像を視聴している時間帯等の情報（以下、ユーザ情報という）を生成し、前記制御手段は、前記暗号化されたデジタル映像データを受信したとき、このデジタル映像データを前記記録手段に記録し、ユーザにより前記記録手段に記録された、前記暗号化されたデジタル映像データを再生するよう指示されたとき、前記復号鍵データ要求送信手段を用いて、該暗号化されたデジタル映像データに対応する復号鍵データの要求を前記サーバに送信し、前記復号鍵データ受信手段を用いて、該暗号化されたデジタル映像データに対応する復号鍵データを受信し、この復号鍵データを用いて前記デジタル映像データ復号手段により、前記暗号化されたデジタル映像データを復号した後、復号したデジタル映像データを前記再生手段により再生するものである。
【００１２】
請求項４に記載の発明は、テレビジョン（以下、ＴＶという）番組のデータ（以下、番組データという）が記録された記録媒体を有するサーバとネットワークを介して接続され、前記サーバに対して、番組データの送受信を行うためのネットワークインタフェースと、前記ネットワークインタフェースを介して受信した前記番組データを記録する記録手段と、前記番組データを再生する再生手段と、装置各部を制御する制御手段とを備えたテレビジョン受像機において、前記サーバの記録媒体は、暗号化された番組データと、この暗号化された番組データを復号する復号鍵データとを記録しており、前記テレビジョン受像機は、前記暗号化された番組データに対応する復号鍵データの要求を前記サーバに送信する復号鍵データ要求送信手段と、前記暗号化された番組データを復号する復号鍵データを受信する復号鍵データ受信手段と、前記復号鍵データを用いて、前記暗号化された番組データを復号する番組データ復号手段とをさらに備え、前記サーバは、前記テレビジョン受像機から送信された復号鍵データの要求に基いて、ユーザがどの時間帯にどんな番組を視聴しているかという情報やユーザが番組を視聴している時間帯等の情報（以下、ユーザ情報という）を生成し、前記制御手段は、前記暗号化された番組データを受信したとき、この番組データを前記記録手段に記録し、ユーザにより前記記録手段に記録された、前記暗号化された番組データを再生するよう指示されたとき、前記復号鍵データ要求送信手段を用いて、該暗号化された番組データに対応する復号鍵データの要求を前記サーバに送信し、前記復号鍵データ受信手段を用いて、該暗号化された番組データに対応する復号鍵データを受信し、この復号鍵データを用いて前記番組データ復号手段により、前記暗号化された番組データを復号した後、復号した番組データを前記再生手段により再生するものである。
【００１３】
請求項５に記載の発明は、テレビジョン（以下、ＴＶという）番組のデータ（以下、番組データという）が記録された記録媒体を有するサーバとネットワークを介して接続され、前記サーバに対して、番組データの送受信を行うためのネットワークインタフェースと、前記ネットワークインタフェースを介して受信した前記番組データを記録する記録手段と、前記番組データを再生する再生手段と、装置各部を制御する制御手段とを備えたテレビジョン受像機において、前記サーバの記録媒体は、暗号化された番組データと、この暗号化された番組データを復号する復号鍵データとを記録しており、前記テレビジョン受像機は、前記暗号化された番組データに対応する復号鍵データの要求と、ユーザがどの時間帯にどんな番組を視聴しているかという情報やユーザが番組を視聴している時間帯等の情報（以下、ユーザ情報という）とを前記サーバに送信する復号鍵データ要求送信手段と、前記暗号化された番組データを復号する復号鍵データを受信する復号鍵データ受信手段と、前記復号鍵データを用いて、前記暗号化された番組データを復号する番組データ復号手段とをさらに備え、前記制御手段は、前記暗号化された番組データを受信したとき、この番組データを前記記録手段に記録し、ユーザにより前記記録手段に記録された、前記暗号化された番組データを再生するよう指示されたとき、前記復号鍵データ要求送信手段を用いて、該暗号化された番組データに対応する復号鍵データの要求と、ユーザ情報とを前記サーバに送信し、前記復号鍵データ受信手段を用いて、該暗号化された番組データに対応する復号鍵データを受信し、この復号鍵データを用いて前記番組データ復号手段により、前記暗号化された番組データを復号した後、復号した番組データを前記再生手段により再生するものである。
【発明の効果】
【００１４】
請求項１に記載の発明によれば、サーバが、ネットワークの負荷が少ない時間帯に番組データをハードディスク内蔵テレビジョン受像機に送信することができる。これにより、ネットワークを効率良く使用することができる。また、ユーザにより、ハードディスクに記録された、暗号化された番組データを再生するように指示されたとき、制御手段が暗号化された番組データに対応する復号鍵データの要求をサーバに行い、サーバがこの復号鍵データの要求に基いてユーザ情報を生成する。従って、番組データの提供者がユーザ情報を知ることができる。
【００１５】
請求項２に記載の発明によれば、ハードディスク内蔵型テレビジョン受像機は、ネットワークを介して、暗号化された番組データを受信したとき、受信した番組データをハードディスクに記録する。そのため、テレビジョン受像機は、ネットワークの負荷が少ない時間帯に暗号化された番組データを受信し、この番組データをハードディスクに記録することにより、ネットワークを効率良く使用することができる。
【００１６】
また、ユーザにより、ハードディスクに記録された、暗号化された番組データを再生するように指示されたとき、制御手段が暗号化された番組データに対応する復号鍵データの要求をサーバに行い、サーバがこの復号鍵データの要求に基いてユーザ情報を生成する。これにより、番組データの提供者がユーザ情報を知ることができる。
【００１７】
請求項３に記載の発明によれば、映像再生装置は、ネットワークを介して、暗号化されたデジタル映像データを受信したとき、受信したデジタル映像データを記録手段に記録する。そのため、映像再生装置は、ネットワークの負荷が少ない時間帯に暗号化されたデジタル映像データを受信し、このデジタル映像データを記録手段に記録することにより、ネットワークを効率良く使用することができる。
【００１８】
また、ユーザにより、記録手段に記録された、暗号化されたデジタル映像データを再生するように指示されたとき、制御手段が暗号化されたデジタル映像データに対応する復号鍵データの要求をサーバに行い、サーバがこの復号鍵データの要求に基いてユーザ情報を生成する。これにより、映像再生装置の提供者がユーザ情報を知ることができる。
【００１９】
請求項４に記載の発明によれば、テレビジョン受像機は、ネットワークを介して、暗号化された番組データを受信したとき、受信した番組データをハードディスクに記録する。そのため、テレビジョン受像機は、ネットワークの負荷が少ない時間帯に暗号化された番組データを受信し、この番組データをハードディスクに記録することにより、ネットワークを効率良く使用することができる。
【００２０】
また、ユーザにより、ハードディスクに記録された、暗号化された番組データを再生するように指示されたとき、制御手段が暗号化された番組データに対応する復号鍵データの要求をサーバに行い、サーバがこの復号鍵データの要求に基いてユーザ情報を生成する。これにより、番組データの提供者がユーザ情報を知ることができる。
【００２１】
請求項５に記載の発明によれば、テレビジョン受像機は、ネットワークを介して、暗号化された番組データを受信したとき、受信した番組データを記録手段に記録する。そのため、テレビジョン受像機は、ネットワークの負荷が少ない時間帯に暗号化された番組データを受信し、この番組データを記録手段に記録することにより、ネットワークを効率良く使用することができる。
【００２２】
また、ユーザにより、記録手段に記録された、暗号化された番組データを再生するように指示されたとき、制御手段が、暗号化された番組データに対応する復号鍵データの要求と、ユーザ情報とをサーバに送信する。これにより、番組データの提供者がユーザ情報を知ることができる。
【発明を実施するための最良の形態】
【００２３】
以下、本発明の第１実施形態に係るテレビジョン（以下、ＴＶという）放送システム、テレビ（請求項におけるハードディスク内蔵型テレビジョン受像機、映像再生装置、及びテレビジョン受像機）、及びサーバについて、図１乃至図３を参照して説明する。図１は、ハードディスク内蔵型テレビジョン受像機１（以下、テレビという）とサーバ４とを含むＴＶ放送システムの外観を示し、図２は、サーバ４の内部構造を示し、図３は、テレビ１の内部構造を示す。テレビ１とサーバ４とには、それぞれインターネット３に接続されたネットワークケーブル２が接続されており、テレビ１とサーバ４とは、相互にデータの送受信を行うネットワークを形成している。テレビ１は、再生ボタン５１等を有するリモコン５によって操作される。
【００２４】
図２に示すように、サーバ４は、ＴＶ番組のデータ（以下、番組データという；請求項における番組データ、及びデジタル映像データ）が記録されたハードディスク４３（以下、ＨＤＤという；請求項に記載の記録媒体）と、テレビ１に対して、番組データ等の送受信を行うためのネットワークインタフェース４２と、番組データの送信等を制御する配信制御部４４と、配信制御部４４の動作プログラムを格納するＲＯＭ４１とを備える。また、ＨＤＤ４３には、暗号化された番組データと、この暗号化された番組データを復号する復号鍵データとがさらに記録されている。
【００２５】
配信制御部４４は、視聴率情報や各ユーザのユーザ情報（ユーザがどの時間帯にどんな番組を視聴しているかという情報やユーザが視聴している時間帯等の情報）に基づいて、ＨＤＤ４３に記録された番組データの中から番組放送開始前にテレビ１に送信する番組データを決定する番組データ決定手段と、番組データの放送開始前におけるネットワークの負荷が少ない時間帯に、番組データ決定手段により決定された番組データをテレビ１に送信する送信手段として機能する。また、配信制御部４４がテレビ１に送信する番組データは、暗号化された番組データとすることができる。
【００２６】
図３に示すように、テレビ１は、サーバ４に対して、番組データ等の送受信を行うためのネットワークインタフェース１６と、ネットワークインタフェース１６を介して受信した番組データ等を記録するＨＤＤ１４と、リモコン５から送信された信号を受光し、制御用マイコン１７へ出力するリモコン信号受信部１５と、装置各部を制御する制御用マイコン１７（制御手段）と、制御用マイコン１７の動作プログラムを格納するＲＯＭ１３とを備える。
【００２７】
また、テレビ１は、制御用マイコン１７から出力された映像信号に基づいて再生された番組データの映像等を出力するディスプレイ１１（映像表示手段）と、制御用マイコン１７から出力された音声信号に基づいて再生された番組データの音声等を出力するスピーカ１２（音声出力手段）とをさらに備える。
【００２８】
制御用マイコン１７は、番組データを再生する再生手段と、暗号化された番組データに対応する復号鍵データの要求とユーザ情報とをサーバ４に送信する復号鍵データ要求送信手段と、暗号化された番組データを復号する復号鍵データを受信する復号鍵データ受信手段と、復号鍵データを用いて暗号化された番組データを復号する番組データ復号手段として機能する。
【００２９】
次に、サーバ４がテレビ１に暗号化された番組データを送信し、テレビ１がこの番組データを受信した後、ＨＤＤ１４に記録する処理について、図４を参照して説明する。まず、テレビ１とサーバ４とが、回線状況確認処理を行い（Ｓ１）、サーバ４の配信制御部４４がＨＤＤ４３に記録された、暗号化された番組データの中からテレビ１に送信する番組データを決定し、テレビ１に送信する（Ｓ２）。そして、テレビ１の制御用マイコン１７は、サーバ４から送信された、暗号化された番組データを受信した後（Ｓ３）、受信した番組データをＨＤＤ１４に記録する（Ｓ４）。なお、上記Ｓ１の処理についての詳細は後述する。また、上記Ｓ２において、サーバ４がテレビ１に送信する暗号化された番組データは、各番組データの視聴率やユーザ情報に基づくユーザの嗜好に対応した番組データである。
【００３０】
次に、上記Ｓ１の回線状況確認処理について、図５を参照して説明する。まず、テレビ１の制御用マイコン１７は、サーバ４にサンプルデータを送信する（Ｓ１１）。テレビ１から送信されたサンプルデータを受信した配信制御部４４は、サンプルデータの受信にかかった時間から、転送速度を判断し（Ｓ１２）、転送速度が速い場合、ネットワークの負荷が少ないと判断し（Ｓ１３でＹＥＳ）、回線状況確認処理を終了する。一方、転送速度が遅い場合、ネットワークの負荷が多いと判断し（Ｓ１３でＮＯ）、テレビ１とサーバ４とは、所定の時間間隔（例えば１秒）毎に上述したＳ１１以降の処理を繰り返す。なお、上記Ｓ１１にて、テレビ１がサーバ４に送信するサンプルデータは、一定サイズのもの、又は、サンプルデータ内にデータサイズが記載されたものである。そのため、サーバ４は、サンプルデータのデータサイズ、及びテレビ１から送信されたサンプルデータを完全に受信するまでに要する時間から転送速度を算出することができる。
【００３１】
次に、上記Ｓ１の回線状況確認処理の変形例について、図６を参照して説明する。まず、テレビ１の制御用マイコン１７は、サーバ４にサンプルデータを送信する（Ｓ２１）。テレビ１から送信されたサンプルデータを受信した配信制御部４４は、サンプルデータの受信にかかった時間から、転送速度を判断し（Ｓ２２）、転送速度が速い場合、ネットワークの負荷が少ないと判断し（Ｓ２３でＹＥＳ）、回線状況確認処理を終了する。一方、上記Ｓ２２の判断の結果、転送速度が遅い場合、配信制御部４４は、ネットワークの負荷が多いと判断する（Ｓ２３でＮＯ）。そして、配信制御部４４は、テレビ１に送信する番組データの再生まで時間があるかどうか判断し（Ｓ２４）、番組データの再生まで時間がない場合（Ｓ２５でＮＯ）、回線状況確認処理を終了する。一方、上記Ｓ２４の判断の結果、番組データの再生まで時間がある場合（Ｓ２５でＹＥＳ）、テレビ１とサーバ４とは、所定の時間間隔（例えば１分毎）に上述したＳ２１以降の処理を繰り返す。なお、上記Ｓ２４における番組データを再生するまで時間があるかどうかの判断は、番組データのデータサイズ、ネットワーク負荷、及び視聴時間帯等の情報を任意に組み合わせることによって行うものである。また、サンプルデータは、上述した図５に示す回線状況確認処理におけるサンプルデータと同様である。
【００３２】
次に、テレビ１がＨＤＤ１４に記録された、暗号化された番組データを再生するときの処理について、図７を参照して説明する。なお、ここでは、上述した図４に示した処理により、予め暗号化された番組データがＨＤＤ１４に記録されているものとする。
【００３３】
まず、ユーザによりＨＤＤ１４に記録された、暗号化された番組データを再生するよう指示されると（Ｓ３１）、テレビ１の制御用マイコン１７は、この暗号化された番組データに対応する復号鍵データの要求と、再生指示された番組名を含むユーザ情報とをサーバ１に送信する（Ｓ３２）。そして、制御用マイコン１７は、サーバ４から送信された暗号化された番組データに対応する復号鍵データを受信し（Ｓ３３）、この復号鍵データを用いて暗号化された番組データを復号した後（Ｓ３４）、復号した番組データを再生し（Ｓ３５）、処理を終了する。
【００３４】
上記のように、本実施形態に係るテレビ１とサーバ４とを含むＴＶ放送システムによれば、サーバ１が、ネットワークの負荷が少ない時間帯に番組データをテレビ１に送信することができる。従って、ネットワークの負荷が少ないときに、番組データを送ることができるので、ネットワークを効率良く使用することができる。
【００３５】
また、ユーザにより、ＨＤＤ１４に記録された、暗号化された番組データを再生するように指示されたとき、制御用マイコン１７が、暗号化された番組データに対応する復号鍵データの要求と、ユーザ情報とをサーバ４に送信する。従って、サーバ４にてユーザ情報を収集することができるので、番組データの提供者がこの番組を視聴しているユーザのユーザ情報を知ることができる。また、ユーザは、特別な操作を行うことなく（無意識、かつ簡単に）、ユーザ情報をサーバに送信することができる。このユーザ情報は、上記Ｓ２において、サーバ４からテレビ１に送信される番組データの決定に用いられる。
【００３６】
次に、本発明の第２実施形態に係るＴＶ放送システム、テレビ、及びサーバについて、図面を参照して説明する。本実施形態に係るＴＶ放送システム、テレビ、及びサーバにおいて、テレビ１がサーバ４にユーザ情報を送信するのではなく、サーバ４の配信制御部４４がテレビ１から送信された復号鍵データの要求に基いて、ユーザ情報を生成すること以外は、前出の図１乃至図３に示した構成と同様である。また、本実施形態に係るＴＶ放送システム、テレビ１（請求項におけるハードディスク内蔵型テレビジョン受像機、映像再生装置、及びテレビジョン受像機）、及びサーバ４では、サーバ４がテレビ１に暗号化された番組データ（請求項における番組データ、及びデジタル映像データ）を送信し、テレビ１がこの番組データを受信した後、ＨＤＤ１４に記録する処理、及び回線状況確認処理について、前出の図４乃至図６に示した処理と同様の処理を行う。
【００３７】
次に、テレビ１がＨＤＤ１４に記録された、暗号化された番組データを再生するときの処理について、図８を参照して説明する。なお、ここでは、上述した図４に示した処理により、予め暗号化された番組データがＨＤＤ１４に記録されているものとする。
【００３８】
まず、ユーザによりＨＤＤ１４に記録された、暗号化された番組データを再生するよう指示されると（Ｓ４１）、テレビ１の制御用マイコン１７は、この暗号化された番組データに対応する復号鍵データの要求をサーバ１に送信する（Ｓ４２）。そして、サーバ４の配信制御部４４がテレビ１から送信された復号鍵データの要求に基いて、再生指示された番組名を含むユーザ情報を生成し（Ｓ４３）、テレビ１に復号鍵データを送信する（Ｓ４４）。テレビ１の制御用マイコン１７は、サーバ４から暗号化された番組データに対応する復号鍵データを受信し（Ｓ４５）、この復号鍵データを用いて暗号化された番組データを復号した後（Ｓ４６）、復号した番組データを再生し（Ｓ４７）、処理を終了する。
【００３９】
上記のように、本実施形態に係るテレビ１とサーバ４とを含むＴＶ放送システムによれば、第１の実施形態に係るＴＶ放送システム、テレビ、及びサーバと同様の効果が得られる。
【００４０】
なお、本発明は、上記各実施形態の構成に限られず、発明の趣旨を変更しない範囲で種々の変形が可能である。例えば、テレビは、ハードディスク内蔵型のものに限られず、ＤＶＤレコーダ内蔵型のテレビであってもよい。
【図面の簡単な説明】
【００４１】
【図１】本発明の第１実施形態に係るテレビとサーバとを含むＴＶ放送システムの外観を示す傾斜図。
【図２】上記サーバの内部構成を示すブロック図。
【図３】上記テレビの内部構成を示すブロック図。
【図４】上記テレビのＨＤＤへの番組データ記録時の処理を示すフローチャート。
【図５】上記ＴＶ放送システムにおけるネットワークの回線状況確認処理を示すフローチャート。
【図６】上記回線状況確認処理の変形例を示すフローチャート。
【図７】上記テレビのＨＤＤに記録された番組データの再生時の処理を示すフローチャート。
【図８】本発明の第２実施形態に係るテレビのＨＤＤに記録された番組データの再生時の処理を示すフロチャート。
【符号の説明】
【００４２】
１  テレビ（ハードディスク内蔵型テレビジョン受像機、映像再生装置、テレビジョン受像機）
４  サーバ
１１  ディスプレイ（映像表示手段）
１２  スピーカ（音声出力手段）
１４  ＨＤＤ（記録手段）
１６  ネットワークインタフェース（復号鍵データ要求送信手段、復号鍵データ受信手段）
１７  制御用マイコン（制御手段、再生手段、復号鍵データ要求送信手段、復号鍵データ受信手段、番組データ復号手段）
４２  ネットワークインタフェース（送信手段）
４３  ＨＤＤ（記録媒体）
４４  配信制御部（番組データ決定手段、送信手段、生成手段）
【図１】
2007288630.tif 000003
【図２】
2007288630.tif 000004
【図３】
2007288630.tif 000005
【図４】
2007288630.tif 000006
【図５】
2007288630.tif 000007
【図６】
2007288630.tif 000008
【図７】
2007288630.tif 000009
【図８】
2007288630.tif 000010